(57)【要約】      （修正有）【課題】着信時に読み上げられる発信者名を、周囲の者に認知され難くする。【解決手段】通信端末は、着信に応じて、第１のスピーカから、発信者名の読み上げ音を出力する第１の出力部と、読み上げ音を出力している間に、第２のスピーカから、着信音を出力する第２の出力部とを有する。着信音によって発信者名の読み上げ音を打ち消すので、周囲の者に読み上げられる発信者名を認知され難くできる。これにより、使用者のプライバシィが保護される。【選択図】図１
2014192716.tif 000002
【特許請求の範囲】
【請求項１】
着信に応じて、第１のスピーカから、発信者名の読み上げ音を出力する第１の出力部と、
前記読み上げ音を出力している間に、第２のスピーカから、着信音を出力する第２の出力部と、
を有する通信端末。
【請求項２】
更に、
前記第１のスピーカの使用状態を検出するための検出部を有し、
前記使用状態を検出した場合に、前記第２の出力部は、前記読み上げ音を出力している間における前記着信音の出力を休止する
請求項１記載の通信端末。
【請求項３】
通信端末により実行される音出力方法であって、
着信に応じて、第１のスピーカから、発信者名の読み上げ音を出力する処理と、
前記読み上げ音を出力している間に、第２のスピーカから、着信音を出力する処理と
を含む音出力方法。
【請求項４】
着信に応じて、第１のスピーカから、発信者名の読み上げ音を出力する処理と、
前記読み上げ音を出力している間に、第２のスピーカから、着信音を出力する処理と
を通信端末に実行させるためのプログラム。
【発明の詳細な説明】
【技術分野】
【０００１】
本技術は、通信端末における着信時の通知技術に関する。
【背景技術】
【０００２】
ある特許文献には、着信時に電話回線から入力される発呼者情報に基づき、発呼者の名前を読み上げる技術が開示されている。この技術で、電話装置は予め通信相手の名前に対応付けられている音声データを出力する。
【０００３】
このように発呼者の名前を読み上げると、電話装置の使用者は応答前に発呼者を認識できるようになる一方、周囲の者に発呼者を知られてしまう恐れが生じる。
【０００４】
別の特許文献には、通信相手毎に着信通知モードを設定する技術が開示されている。この技術によって、特定の通信相手についての呼び出し音量を小さく設定すれば、着信したこと自体を周囲の者に悟られないので、発信者を推測される恐れも減る。
【０００５】
しかし、呼び出し音量を小さくすると使用者自身も着信に気づかない場合がある。このように、音量の加減によって他者の認知を防ぐことは難しい面がある。
【先行技術文献】
【特許文献】
【０００６】
【特許文献１】特開２００２−３５４１０８号公報
【特許文献２】特開２００５−９４０８１号公報
【特許文献３】特開２００６−６７５３８号公報
【発明の概要】
【発明が解決しようとする課題】
【０００７】
本技術の目的は、一側面では、着信時に読み上げられる発信者名を、周囲の者に認知され難くすることである。
【課題を解決するための手段】
【０００８】
一態様の通信端末は、着信に応じて、第１のスピーカから、発信者名の読み上げ音を出力する第１の出力部と、読み上げ音を出力している間に、第２のスピーカから、着信音を出力する第２の出力部とを有する。
【発明の効果】
【０００９】
一側面においては、着信時に読み上げられる発信者名を、周囲の者に認知され難くすることができる。
【図面の簡単な説明】
【００１０】
【図１】図１は、着信音と読み上げ音との出力タイミングの概要を示す図である。
【図２】図２は、携帯電話端末のハードウエア構成例を示す図である。
【図３】図３は、送話信号処理部の構成例を示す図である。
【図４】図４は、受話信号処理部の構成例を示す図である。
【図５】図５は、報知信号処理部の構成例を示す図である。
【図６】図６は、センサ群の構成例を示す図である。
【図７】図７は、携帯電話端末のモジュール構成例を示す図である。
【図８】図８は、電話帳ＤＢ（Database）の例を示す図である。
【図９】図９は、全体処理フローの例を示す図である。
【図１０】図１０は、通常通知処理フローの例を示す図である。
【図１１】図１１は、読み上げ通知処理（Ａ）フローを示す図である。
【図１２】図１２は、第１期間処理（Ａ）フローを示す図である。
【図１３】図１３は、第２期間処理（Ａ）フローを示す図である。
【図１４】図１４は、実施の形態２に係る着信音と読み上げ音との出力タイミングの概要を示す図である。
【図１５】図１５は、実施の形態２に係る携帯電話端末のモジュール構成例を示す図である。
【図１６】図１６は、読み上げ通知処理（Ｂ）フローを示す図である。
【図１７】図１７は、第１モード処理（Ａ）フローを示す図である。
【図１８】図１８は、第１期間処理（Ｂ）フローを示す図である。
【図１９】図１９は、第２期間処理（Ｂ）フローを示す図である。
【図２０】図２０は、第２モード処理（Ａ）フローを示す図である。
【図２１】図２１は、第１期間処理（Ｃ）フローを示す図である。
【図２２】図２２は、第２期間処理（Ｃ）フローを示す図である。
【図２３】図２３は、実施の形態３に係る着信音と読み上げ音との出力タイミングの概要を示す図である。
【図２４】図２４は、実施の形態３に係る携帯電話端末のモジュール構成例を示す図である。
【図２５】図２５は、読み上げ通知処理（Ｃ）フローを示す図である。
【図２６】図２６は、第１期間処理（Ｄ）フローを示す図である。
【図２７】図２７は、実施の形態４に係る着信音と読み上げ音との出力タイミングの概要を示す図である。
【図２８】図２８は、実施の形態４に係る携帯電話端末のモジュール構成例を示す図である。
【図２９】図２９は、読み上げ通知処理（Ｄ）フローを示す図である。
【図３０】図３０は、第１モード処理（Ｂ）フローを示す図である。
【図３１】図３１は、第２モード処理（Ｂ）フローを示す図である。
【図３２】図３２は、第１期間処理（Ｅ）フローを示す図である。
【発明を実施するための形態】
【００１１】
［実施の形態１］
まず、携帯電話端末で着呼した場合の動作について説明する。図１に、着信音と読み上げ音との出力タイミングの概要を示す。
【００１２】
下段のチャートは、着呼から応答までの間における読み上げ音の出力タイミングを示している。読み上げ音は、発呼者の名前を読み上げる音声である。この例で、読み上げ音は、電話中の受話に用いられる受話用スピーカから出力される。
【００１３】
着呼時を起点として、期間Ｐ１と期間Ｐ２とが交互に繰り返される。時刻Ｔ１と時刻Ｔ２の間、時刻Ｔ３と時刻Ｔ４の間及び時刻Ｔ５と時刻Ｔ６の間は、期間Ｐ１である。時刻Ｔ２と時刻Ｔ３の間及び時刻Ｔ４と時刻Ｔ５の間は、期間Ｐ２である。つまり、１周期は期間Ｐ１と期間Ｐ２とを含んでいる。読み上げ音は、期間Ｐ１において出力される。期間Ｐ２において、読み上げ音は出力されない。そして、着呼に対する応答があった時点で、読み上げ音の出力は終わる。
【００１４】
上段のチャートは、着呼から応答までの間における着信音の出力タイミングを示している。着信音は、例えば、ベル音や着信メロディーなどの呼び出し音である。この例で、着信音は、周囲に聞かせるための報知用スピーカから出力される。
【００１５】
着信音は、読み上げ音と同様に、期間Ｐ１において出力される。期間Ｐ２において、着信音は出力されない。そして、着呼に対する応答があった時点で、着信音の出力は終わる。つまり、着信音は、読み上げ音と同じタイミングで出力される。このように着信音によって読み上げ音を打ち消すことにより、発呼者の名前を周囲の者に認知され難くする。
【００１６】
この図では、着呼への応答によって動作を終える例を示したが、着呼を切断する場合にも同様に動作を終える。
【００１７】
続いて、携帯電話端末のハードウエア構成について説明する。図２に、携帯電話端末のハードウエア構成例を示す。携帯電話端末２００は、プロセッサ２０１、記憶部２０３、入力装置２１１、表示装置２１３、アンテナ２１５、無線制御部２１７、送話信号処理部２１９、受話信号処理部２２１、報知信号処理部２２３、センサ群２２５及びカメラ２２７を有する。
【００１８】
プロセッサ２０１は、通信端末装置に関する演算処理を行う集積回路である。プロセッサ２０１は、モデムＣＰＵ（Central Processing Unit）とアプリケーションＣＰＵからなることもある。記憶部２０３は、例えば、ＲＯＭ２０５（Read Only Memory）とＲＡＭ（Random Access Memory）２０７とフラッシュメモリ２０９を有する。ＲＯＭ２０５は、例えば、アプリケーションプログラムなどを格納している。ＲＡＭ２０７は、例えば、アプリケーションプログラムを展開する領域を含んでいる。フラッシュメモリ２０９は、例えば、ユーザデータを格納する。
【００１９】
入力装置２１１は、例えば、タッチパネルやボタンであり、ユーザ操作による指示を受け付ける。表示装置２１３は、例えば、アプリケーションが表示させる各種画面を表示する。
【００２０】
アンテ２１５は、例えば、セルラー方式、無線ＬＡＮ（Local Area Network）、近距離通信方式などの無線データを受信する。無線制御部２１７は、無線通信の制御を行う。無線通信の制御により、電話の音声通信やメールのデータ通信が行われる。
【００２１】
送話信号処理部２１９は、例えば送話の音声を受ける。図３に、送話信号処理部２１９の構成例を示す。送話信号処理部２１９は、エンコーダ３０１、Ａ／Ｄ（アナログ／デジタル）変換部３０３、送話用アンプ３０５及び送話用マイク３０７を有する。送話用マイク３０７は、例えば使用者の音声をアナログデータに変換する。送話用アンプ３０５は、変換されたアナログデータを増幅する。Ａ／Ｄ変換部３０３は、増幅されたアナログデータをデジタルデータに変換する。エンコーダ３０１は、変換されたデジタルデータを符号化する。プロセッサ２０１は、符号化されたデータを受ける。プロセッサ２０１が送話用アンプ３０５を制御するようにしてもよい。
【００２２】
受話信号処理部２２１は、例えば受話の音声を出す。図４に、受話信号処理部２２１の構成例を示す。受話信号処理部２２１は、受話用デコーダ４０１、受話用Ｄ／Ａ（デジタル／アナログ）変換部４０３、受話用アンプ４０５及び受話用スピーカ４０７を有する。受話用デコーダ４０１は、プロセッサ２０１から符号化されているデータを受ける。そして、受話用デコーダ４０１は、符号化されているデータを復号する。受話用Ｄ／Ａ変換部４０３は、復号されたデジタルデータをアナログデータに変換する。受話用アンプ４０５は、変換されたアナログデータを増幅する。受話用スピーカ４０７は、増幅されたアナログデータを出力音に変換する。プロセッサ２０１が受話用アンプ４０５を制御するようにしてもよい。
【００２３】
報知信号処理部２２３は、例えば呼び出し音やアラーム音を出す。図５に、報知信号処理部２２３の構成例を示す。報知信号処理部２２３は、報知用デコーダ５０１、報知用Ｄ／Ａ変換部５０３、報知用アンプ５０５及び報知用スピーカ５０７を有する。報知用デコーダ５０１は、プロセッサ２０１から符号化されているデータを受ける。そして、報知用デコーダ５０１は、符号化されているデータを復号する。報知用Ｄ／Ａ変換部５０３は、復号されたデジタルデータをアナログデータに変換する。報知用アンプ５０５は、変換されたアナログデータを増幅する。報知用スピーカ５０７は、増幅されたアナログデータを出力音に変換する。プロセッサ２０１が報知用アンプ５０５を制御するようにしてもよい。
【００２４】
センサ群２２５には、各種センサが含まれる。図６に、センサ群２２５の構成例を示す。この例では、センサ群２２５は、近接センサ６０１、輝度センサ６０３及び地磁気センサ６０５を含んでいる。近接センサ６０１は、近接する位置に物体があることを検出する。輝度センサ６０３は、輝度を計測する。地磁気センサ６０５は、磁界の向きを計測する。近接センサ６０１は、受話用スピーカ４０７が設置されている面に設けられている。輝度センサ６０３も、受話用スピーカ４０７が設置されている面に設けられている。地磁気センサ６０５は、携帯電話端末２００の姿勢を判定することに用いられる。この例では、プロセッサ２０１が近接センサ６０１、輝度センサ６０３及び地磁気センサ６０５を制御する。
【００２５】
カメラ２２７は、デジタル画像を撮影する。この例では、カメラ２２７も、受話用スピーカ４０７が設置されている面に設けられている。カメラ２２７は、例えば受話状態における使用者の耳、側頭部、あるいは頬を撮影する位置に設けられている。以上で、携帯電話端末２００のハードウエア構成についての説明を終える。
【００２６】
続いて、携帯電話端末２００のモジュール構成について説明する。図７に、携帯電話端末２００のモジュール構成例を示す。携帯電話端末２００は、通信イベント検出部７０１、通知方式判定部７０３、設定データ格納部７０５、通常通知部７０７、読み上げ通知部（Ａ）７０９、着信音出力部７１１、音データ格納部７１３、読み上げ音出力部７１５及び電話帳ＤＢ７１７を有する。そして、読み上げ通知部（Ａ）７０９は、第１期間判定部（Ａ）７２１及び第２期間判定部（Ａ）７２３を有する。以下、各モジュールについて説明する。
【００２７】
通信イベント検出部７０１は、例えば電話やメールなどの通信に関するイベントを検出する。通知方式判定部７０３は、着信を通知するための方式を判定する。設定データ格納部７０５は、通知方式や着信音の種別などに関する設定データを格納する。通常通知部７０７は、読み上げ音を伴わない通常の通知を制御する。読み上げ通知部（Ａ）７０９は、読み上げ音を伴う通知を制御する。着信音出力部７１１は、着信音の出力を行う。音データ格納部７１３は、着信音に用いる音データを格納している。音データ格納部７１３は、例えば、ＲＯＭ２０５あるいはフラッシュメモリ２０９に設けられる。読み上げ音出力部７１５は、読み上げ音の出力を行う。電話帳ＤＢ７１７は、電話帳のデータを格納する。電話帳ＤＢ７１７は、例えば、フラッシュメモリ２０９に設けられる。
【００２８】
図８に、電話帳ＤＢ７１７の例を示す。電話帳ＤＢ７１７は、通信相手毎にレコードを有する。レコードは、通信相手の名前、電話番号、読み上げテキスト及び通知方式のフィールドを有する。読み上げテキストは、通信相手の名前を読み上げる場合の音声を特定するためのテキストコード列である。通知方式は、通信相手から発せられた呼を受けた場合に、着信を使用者に通知する方式である。
【００２９】
この例で、第１のレコードの第１フィールドは、当該レコードで特定する通信相手の名前が「日本太郎」であることを示している。更に、第１のレコードの第２フィールドは、当該通信相手の電話番号が「０９０１１１１１１１１」であることを示している。更に、第１のレコードの第３フィールドは、当該通信相手の読み上げテキストが「ニホンタロウ」であることを示している。更に、第１のレコードの第４フィールドは、当該通信相手に係る通知方式が「読み上げ通知」であることを示している。
【００３０】
また、第２のレコードの第１フィールドは、当該レコードで特定する通信相手の名前が「英国次郎」であることを示している。更に、第２のレコードの第２フィールドは、当該通信相手の電話番号が「０９０１１１１１１１２」であることを示している。更に、第２のレコードの第３フィールドは、当該通信相手の読み上げテキストが「エイコクジロウ」であることを示している。更に、第２のレコードの第４フィールドは、当該通信相手に係る通知方式が「通常通知」であることを示している。
【００３１】
図７の説明に戻って、第１期間判定部（Ａ）７２１は、図１に示した期間Ｐ１における判定を行う。第２期間判定部（Ａ）７２３は、図１に示した期間Ｐ２における判定を行う。以上で、携帯電話端末２００のモジュール構成についての説明を終える。
【００３２】
続いて、処理について説明する。図９に、全体処理フローの例を示す。この処理は、通信イベント検出部７０１が着呼を検出した場合に実行される。
【００３３】
通知方式判定部７０３は、着呼に伴う情報から発呼者名を抽出する（Ｓ９０１）。通知方式判定部７０３は、電話帳ＤＢ７１７に発呼者名と一致する名前があるか否かを判定する（Ｓ９０３）。電話帳ＤＢ７１７に発呼者名と一致する名前がないと判定した場合には、着信音出力部７１１は、通常通知処理を行う（Ｓ９０５）。
【００３４】
図１０に、通常通知処理フローの例を示す。着信音出力部７１１は、着信音データを特定する（Ｓ１００１）。着信音出力部７１１は、例えば、設定データ格納部７０５に格納されている設定データから着信音データの種類を読み取る。
【００３５】
着信音出力部７１１は、音データ格納部７１３から着信音データを取得し、取得した着信音データを報知用デコーダ５０１に渡す（Ｓ１００３）。着信音データを報知用デコーダ５０１に渡すことによって、着信音が報知用スピーカ５０７から出力される。
【００３６】
通常通知部７０７は、着呼が切断されたか否かを判定する（Ｓ１００５）。具体的には、通常通知部７０７は、通信イベント検出部７０１において切断イベントを検出したか否かを判定する。着呼が切断されていないと判定した場合には、通常通知部７０７は、着呼に応答したか否かを判定する（Ｓ１００７）。具体的には、通常通知部７０７は、通信イベント検出部７０１において応答イベントを検出したか否かを判定する。着呼に応答していないと判定した場合には、Ｓ１００５の処理に戻る。
【００３７】
一方、Ｓ１００５において着呼が切断されたと判定した場合には、着信音出力部７１１は、報知用デコーダ５０１を停止させる（Ｓ１００９）。報知用デコーダ５０１の停止により報知用スピーカ５０７からの着信音の出力が止む。
【００３８】
また、Ｓ１００７において着呼に応答したと判定した場合にも、着信音出力部７１１は、報知用デコーダ５０１を停止させる（Ｓ１００９）。前述と同様に、報知用デコーダ５０１の停止により報知用スピーカ５０７からの着信音の出力が止む。
【００３９】
図９に示した全体処理フローの説明に戻って、Ｓ９０３において電話帳ＤＢ７１７に発呼者名と一致する名前があると判定した場合には、通知方式判定部７０３は、発呼者名を読み上げるか否かを判定する（Ｓ９０７）。この例では、通知方式判定部７０３は、電話帳ＤＢ７１７の発呼者名に対応するレコードにおける通知方式に基づいて、発呼者名を読み上げるか否かを判定する。電話帳ＤＢ７１７において発呼者名に相当する名前に対応する通知方式が、「通常通知」である場合には発呼者名を読み上げないと判定する。電話帳ＤＢ７１７において発呼者名に相当する名前に対応する通知方式が、「読み上げ通知」である場合には、発呼者名を読み上げると判定する。このように、この例では通信相手に応じて発呼者名を読み上げるか否かを判定する。但し、通信相手によらず、発呼者名を読み上げるか否かを予めモード設定しておくようにしてもよい。発呼者名を読み上げるか否かを予めモード設定しておく場合には、常に通知方式が「通常通知」となる通常通知モード、あるいは常に通知方式が「読み上げ通知」となる読み上げ通知モードを設定データ格納部７０５に格納される設定データに含めるようにしてもよい。
【００４０】
Ｓ９０７において発呼者名を読み上げないと判定した場合には、着信音出力部７１１は、前述した通常通知処理を行う（Ｓ９０５）。
【００４１】
一方、Ｓ９０７において発呼者名を読み上げると判定した場合には、読み上げ通知部（Ａ）７０９の制御により、読み上げ通知処理（Ａ）が行われる（Ｓ９０９）。読み上げ通知処理（Ｂ乃至Ｄ）については、後述する実施の形態において説明する。
【００４２】
図１１に、読み上げ通知処理（Ａ）フローを示す。読み上げ音出力部７１５は、電話帳ＤＢ７１７において発呼者名に相当する名前に対応する読み上げテキストを特定する（Ｓ１１０１）。読み上げ音出力部７１５は、読み上げテキストに基づいて、読み上げ音データを生成する（Ｓ１１０３）。生成された読み上げ音データは、全体処理の終了まで一時的に保持される。
【００４３】
着信音出力部７１１は、着信音データを特定する（Ｓ１１０５）。着信音出力部７１１は、例えば、設定データ格納部７０５に格納されている設定データから着信音データの種類を読み取る。
【００４４】
第１期間判定部（Ａ）７２１の制御により、第１期間処理（Ａ）が行われる（Ｓ１１０７）。図１２に、第１期間処理（Ａ）フローを示す。第１期間判定部（Ａ）７２１は、タイマ計測を開始する（Ｓ１２０１）。このタイマ計測は、期間Ｐ１の経過を判定するために行われる。
【００４５】
着信音出力部７１１は、音データ格納部７１３から着信音データを取得し、取得した着信音データを報知用デコーダ５０１に渡す（Ｓ１２０３）。着信音データを報知用デコーダ５０１に渡すことによって、着信音が報知用スピーカ５０７から出力される。
【００４６】
読み上げ音出力部７１５は、一時的に保持している読み上げ音データを受話用デコーダ４０１に渡す（Ｓ１２０５）。読み上げ音データを受話用デコーダ４０１に渡すことによって、読み上げ音が受話用スピーカ４０７から出力される。期間Ｐ１の間、読み上げ音が繰り返し出力されるようにしてもよい。
【００４７】
第１期間判定部（Ａ）７２１は、タイマによる計測値に従って、期間Ｐ１を過ぎたか否かを判定する（Ｓ１２０７）。期間Ｐ１を過ぎていないと判定した場合には、第１期間判定部（Ａ）７２１は、着呼が切断されたか否かを判定する（Ｓ１２０９）。具体的には、第１期間判定部（Ａ）７２１は、通信イベント検出部７０１において切断イベントを検出したか否かを判定する。着呼が切断されていないと判定した場合には、第１期間判定部（Ａ）７２１は、着呼に応答したか否かを判定する（Ｓ１２１１）。具体的には、第１期間判定部（Ａ）７２１は、通信イベント検出部７０１において応答イベントを検出したか否かを判定する。着呼に応答していないと判定した場合には、Ｓ１２０７の処理に戻る。
【００４８】
一方、Ｓ１２０９において着呼が切断されたと判定した場合には、第１期間判定部（Ａ）７２１は、ステータスに「終了」を設定する（Ｓ１２１３）。「終了」は、読み上げ通知処理（Ａ）を終えることを意味する。
【００４９】
また、Ｓ１２１１において着呼に応答したと判定した場合にも、第１期間判定部（Ａ）７２１は、ステータスに「終了」を設定する（Ｓ１２１３）。
【００５０】
Ｓ１２１３においてステータスに「終了」を設定すると、着信音出力部７１１は、報知用デコーダ５０１を停止させる（Ｓ１２１５）。報知用デコーダ５０１の停止により報知用スピーカ５０７からの着信音の出力が止む。読み上げ音出力部７１５は、受話用デコーダ４０１を停止させる（Ｓ１２１７）。受話用デコーダ４０１の停止により受話用スピーカ４０７からの読み上げ音の出力が止む。そして、第１期間判定部（Ａ）７２１は、タイマ計測を終了する（Ｓ１２１９）。
【００５１】
Ｓ１２０７において期間Ｐ１を過ぎていると判定した場合には、第１期間判定部（Ａ）７２１は、ステータスに「継続」を設定する（Ｓ１２２１）。「継続」は、読み上げ通知処理（Ａ）を継続することを意味する。ステータスに「継続」を設定した場合にも、着信音出力部７１１は、報知用デコーダ５０１を停止させ（Ｓ１２１５）、読み上げ音出力部７１５は、受話用デコーダ４０１を停止させる（Ｓ１２１７）。前述と同様に、報知用スピーカ５０７からの着信音の出力が止み、更に、受話用スピーカ４０７からの読み上げ音の出力が止む。そして、第１期間判定部（Ａ）７２１は、タイマ計測を終了する（Ｓ１２１９）。タイマ計測を終了すると、第１期間処理（Ａ）を終え、読み上げ通知処理（Ａ）フローの処理へ戻る。
【００５２】
図１１に示した読み上げ通知処理（Ａ）フローの説明に戻って、読み上げ通知部（Ａ）７０９は、ステータスが「終了」であるか、あるいは「継続」であるかを判定する（Ｓ１１０９）。ステータスが「継続」であると判定した場合には、第２期間判定部（Ａ）７２３の制御により、第２期間処理（Ａ）が行われる（Ｓ１１１１）。
【００５３】
図１３に、第２期間処理（Ａ）フローを示す。第２期間判定部（Ａ）７２３は、タイマ計測を開始する（Ｓ１３０１）。このタイマ計測は、期間Ｐ２の経過を判定するために行われる。
【００５４】
第２期間判定部（Ａ）７２３は、タイマによる計測値に従って、期間Ｐ２を過ぎたか否かを判定する（Ｓ１３０３）。期間Ｐ２を過ぎていないと判定した場合には、第２期間判定部（Ａ）７２３は、着呼が切断されたか否かを判定する（Ｓ１３０５）。具体的には、第２期間判定部（Ａ）７２３は、通信イベント検出部７０１において切断イベントを検出したか否かを判定する。着呼が切断されていないと判定した場合には、第２期間判定部（Ａ）７２３は、着呼に応答したか否かを判定する（Ｓ１３０７）。具体的には、第２期間判定部（Ａ）７２３は、通信イベント検出部７０１において応答イベントを検出したか否かを判定する。着呼に応答していないと判定した場合には、Ｓ１３０３の処理に戻る。
【００５５】
一方、Ｓ１３０５において着呼が切断されたと判定した場合には、第２期間判定部（Ａ）７２３は、ステータスに「終了」を設定する（Ｓ１３０９）。
【００５６】
また、Ｓ１３０７において着呼に応答したと判定した場合にも、第２期間判定部（Ａ）７２３は、ステータスに「終了」を設定する（Ｓ１３０９）。Ｓ１３０９においてステータスに「終了」を設定すると、第２期間判定部（Ａ）７２３は、タイマ計測を終了する（Ｓ１３１１）。
【００５７】
Ｓ１３０３において期間Ｐ２を過ぎていると判定した場合には、第２期間判定部（Ａ）７２３は、ステータスに「継続」を設定する（Ｓ１３１３）。ステータスに「継続」を設定した場合にも、第２期間判定部（Ａ）７２３は、タイマ計測を終了する（Ｓ１３１１）。タイマ計測を終了すると、第２期間処理（Ａ）を終え、読み上げ通知処理（Ａ）フローの処理へ戻る。
【００５８】
図１１に示した読み上げ通知処理（Ａ）フローの説明に戻って、読み上げ通知部（Ａ）７０９は、ステータスが「終了」であるかあるいは「継続」であるかを判定する（Ｓ１１１３）。ステータスが「継続」であると判定した場合には、Ｓ１１０７の処理に戻る。このようにして、期間Ｐ２から期間Ｐ１へ移る。
【００５９】
Ｓ１１１３においてステータスが「終了」であると判定した場合には、読み上げ通知処理（Ａ）を終える。また、Ｓ１１０９においてステータスが「終了」であると判定した場合にも、読み上げ通知処理（Ａ）を終える。つまり、切断あるいは応答によって処理を終える。
【００６０】
そして、図９に示した全体処理フローに戻って、全体処理を終える。
【００６１】
本実施の形態によれば、報知用スピーカ５０７から出力される着信音によって、受話用スピーカ４０７から出力される発呼者名の読み上げ音を打ち消すので、周囲の者に読み上げられる発呼者名を認知され難くできる。これにより、使用者のプライバシィが保護される。
【００６２】
［実施の形態２］
本実施の形態では、実施の形態１を基礎として、受話用スピーカ４０７の使用状態を検出した場合に、読み上げ音を出力している間における着信音の出力を休止させる例について説明する。
【００６３】
図１４に、実施の形態２に係る着信音と読み上げ音との出力タイミングの概要を示す。下段のチャートは、着呼から応答までの間における読み上げ音の出力タイミングを示している。読み上げ音は、実施の形態１と同様に、発呼者の名前を読み上げる音声である。この例で、読み上げ音は、実施の形態１と同様に、受話用スピーカ４０７から出力される。
【００６４】
上段のチャートは、着呼から応答までの間における着信音の出力タイミングを示している。着信音は、実施の形態１と同様に、例えばベル音や着信メロディーなどの呼び出し音である。この例で、着信音は、実施の形態１と同様に、周囲に聞かせるための報知用スピーカ５０７から出力される。
【００６５】
着信時を起点として、期間Ｐ１と期間Ｐ２とが交互に繰り返される。時刻Ｔ１と時刻Ｔ２の間、時刻Ｔ３と時刻Ｔ４の間、時刻Ｔ５と時刻Ｔ６の間及び時刻Ｔ７と時刻Ｔ８の間は、期間Ｐ１である。時刻Ｔ２と時刻Ｔ３の間、時刻Ｔ４と時刻Ｔ５の間、時刻Ｔ６と時刻Ｔ７及び時刻Ｔ８と時刻Ｔ９の間は、期間Ｐ２である。つまり、１周期は期間Ｐ１と期間Ｐ２とを含んでいる。但し、本実施の形態では、時刻Ｔ５において近接状態を検出している。近接状態は、受話用スピーカ４０７が使用されている状態である。
【００６６】
着呼から近接状態検出までの状態を、第１モードという。近接状態検出から応答までの状態を、第２モードという。
【００６７】
第１モードにおいて、読み上げ音は、期間Ｐ１において出力される。期間Ｐ２において、読み上げ音は出力されない。着信音は、読み上げ音と同様に、期間Ｐ１において出力される。期間Ｐ２において、着信音は出力されない。つまり、着信音は、読み上げ音と同じタイミングで出力される。このように報知用スピーカ５０７から出力される着信音を受話用スピーカ４０７から出力される読み上げ音に重ねることにより、読み上げる発呼者の名前を周囲の者に認知され難くする。
【００６８】
第２モードにおいては、着信音は、読み上げ音と異なるタイミングで出力される。読み上げ音は、第１のモードと同様に、期間Ｐ１において出力される。期間Ｐ２において、読み上げ音は出力されない。一方、着信音は、期間Ｐ２において出力される。期間Ｐ１において、着信音は出力されない。つまり、読み上げ音を出力している期間Ｐ１において、着信音の出力は休止される。このようにすることにより、使用者は受話用スピーカ４０７から出力される読み上げ音を聞き取りやすくなる。
【００６９】
そして、着呼に対する応答があった時点で、読み上げ音の出力は終わる。また、着呼に対する応答があった時点で、着信音の出力も終わる。また、着呼が切断された場合も同様に、読み上げ音の出力は終わり、着信音の出力も終わる
【００７０】
続いて、実施の形態２に係る携帯電話端末２００のモジュールについて説明する。図１５に、実施の形態２に係る携帯電話端末２００のモジュール構成例を示す。実施の形態２に係る携帯電話端末２００は、図７に示した実施の形態１に係る携帯電話端末２００と同様に、通信イベント検出部７０１、通知方式判定部７０３、設定データ格納部７０５、通常通知部７０７、着信音出力部７１１、音データ格納部７１３、読み上げ音出力部７１５及び電話帳ＤＢ７１７を有する。
【００７１】
また、実施の形態２に係る携帯電話端末２００は、実施の形態１に係る携帯電話端末２００における読み上げ通知部（Ａ）７０９に代えて、読み上げ通知部（Ｂ）１５０１を有する。読み上げ通知部（Ｂ）１５０１は、実施の形態２における読み上げ音による通知を制御する。読み上げ通知部（Ｂ）１５０１は、第１モード部（Ａ）１５１１及び第２モード部（Ａ）１５１３を有する。
【００７２】
第１モード部（Ａ）１５１１は、第１モードにおける読み上げ音による通知を制御する。第１モード部（Ａ）１５１１は、第１期間判定部（Ｂ）１５２１及び第２期間判定部（Ｂ）１５２３を有する。第１期間判定部（Ｂ）１５２１は、第１モードの期間Ｐ１における判定を行う。第２期間判定部（Ｂ）１５２３は、第１モードの期間Ｐ２における判定を行う。
【００７３】
第２モード部（Ａ）１５１３は、第２モードにおける読み上げ音による通知を制御する。第２モード部（Ａ）１５１３は、第１期間判定部（Ｃ）１５２５及び第２期間判定部（Ｃ）１５２７を有する。第１期間判定部（Ｃ）１５２５は、第２モードの期間Ｐ１における判定を行う。第２期間判定部（Ｃ）１５２７は、第２モードの期間Ｐ２における判定を行う。
【００７４】
更に、実施の形態２に係る携帯電話端末２００は、近接検出部１５０３を有する。近接検出部１５０３は、受話用スピーカ４０７の使用状態を検出する。具体的には、近接検出部１５０３は、近接センサ６０１により近接する位置に物体があることを感知することによって、受話用スピーカ４０７の使用状態を検出する。あるいは、近接検出部１５０３は、輝度センサ６０３によって計測した輝度が所定値より小さい場合に、受話用スピーカ４０７の使用状態を検出する。あるいは、近接検出部１５０３は、地磁気センサ６０５によって携帯電話端末２００の所定の体勢（例えば、立位）に相当する向きを計測した場合に、受話用スピーカ４０７の使用状態を検出する。あるいは、近接検出部１５０３は、カメラに２２７によって撮影された画像が、使用者の耳、側頭部、あるいは頬であると認識される場合に、受話用スピーカ４０７の使用状態を検出する。以上で、実施の形態２に係る携帯電話端末２００のモジュールについての説明を終える。
【００７５】
続いて、実施の形態２における処理について説明する。図９に示した全体処理フローのうち、Ｓ９０１乃至Ｓ９０７については、実施の形態１の場合と同様に処理する。Ｓ９０９では、読み上げ通知処理（Ａ）に代えて読み上げ通知処理（Ｂ）が行われる。
【００７６】
図１６に、読み上げ通知処理（Ｂ）フローを示す。読み上げ音出力部７１５は、電話帳ＤＢ７１７において発呼者名に相当する名前に対応する読み上げテキストを特定する（Ｓ１６０１）。読み上げ音出力部７１５は、読み上げテキストに基づいて、読み上げ音データを生成する（Ｓ１６０３）。生成された読み上げ音データは、全体処理の終了まで一時的に保持される。
【００７７】
着信音出力部７１１は、着信音データを特定する（Ｓ１６０５）。着信音出力部７１１は、例えば、設定データ格納部７０５に格納されている設定データから着信音データの種類を読み取る。第１モード部（Ａ）１５１１の制御により、第１モード処理（Ａ）が行われる（Ｓ１６０７）。
【００７８】
図１７に、第１モード処理（Ａ）フローを示す。第１期間判定部（Ｂ）１５２１の制御により、第１期間処理（Ｂ）が行われる（Ｓ１７０１）。
【００７９】
図１８に、第１期間処理（Ｂ）フローを示す。第１期間判定部（Ｂ）１５２１は、タイマ計測を開始する（Ｓ１８０１）。このタイマ計測は、期間Ｐ１の経過を判定するために行われる。
【００８０】
着信音出力部７１１は、音データ格納部７１３から着信音データを取得し、取得した着信音データを報知用デコーダ５０１に渡す（Ｓ１８０３）。着信音データを報知用デコーダ５０１に渡すことによって、着信音が報知用スピーカ５０７から出力される。
【００８１】
読み上げ音出力部７１５は、一時的に保持している読み上げ音データを受話用デコーダ４０１に渡す（Ｓ１８０５）。読み上げ音データを受話用デコーダ４０１に渡すことによって、読み上げ音が受話用スピーカ４０７から出力される。期間Ｐ１の間、読み上げ音が繰り返し出力されるようにしてもよい。
【００８２】
第１期間判定部（Ｂ）１５２１は、タイマによる計測値に従って、期間Ｐ１を過ぎたか否かを判定する（Ｓ１８０７）。期間Ｐ１を過ぎていないと判定した場合には、第１期間判定部（Ｂ）１５２１は、着呼が切断されたか否かを判定する（Ｓ１８０９）。具体的には、第１期間判定部（Ｂ）１５２１は、通信イベント検出部７０１において切断イベントを検出したか否かを判定する。着呼が切断されていないと判定した場合には、第１期間判定部（Ｂ）１５２１は、着呼に応答したか否かを判定する（Ｓ１８１１）。具体的には、第１期間判定部（Ｂ）１５２１は、通信イベント検出部７０１において応答イベントを検出したか否かを判定する。着呼に応答していないと判定した場合には、Ｓ１８０７の処理に戻る。
【００８３】
一方、Ｓ１８０９において着呼が切断されたと判定した場合には、第１期間判定部（Ｂ）１５２１は、ステータスに「終了」を設定する（Ｓ１８１３）。「終了」は、読み上げ通知処理（Ｂ）を終えることを意味する。
【００８４】
また、Ｓ１８１１において着呼に応答したと判定した場合にも、第１期間判定部（Ｂ）１５２１は、ステータスに「終了」を設定する（Ｓ１８１３）。
【００８５】
Ｓ１８１３においてステータスに「終了」を設定すると、着信音出力部７１１は、報知用デコーダ５０１を停止させる（Ｓ１８１５）。報知用デコーダ５０１の停止により報知用スピーカ５０７からの着信音の出力が止む。読み上げ音出力部７１５は、受話用デコーダ４０１を停止させる（Ｓ１８１７）。受話用デコーダ４０１の停止により受話用スピーカ４０７からの読み上げ音の出力が止む。第１期間判定部（Ｂ）１５２１は、タイマ計測を終了する（Ｓ１８１９）。
【００８６】
Ｓ１８０７において期間Ｐ１を過ぎていると判定した場合には、近接検出部１５０３は、近接検出処理によって、受話用スピーカ４０７の使用状態の検出を試みる（Ｓ１８２１）。近接検出部１５０３は、近接センサ６０１により近接する位置に物体があることを検知しようとする。あるいは、近接検出部１５０３は、輝度センサ６０３によって輝度を計測する。あるいは、近接検出部１５０３は、地磁気センサ６０５によって向きを計測する。あるいは、近接検出部１５０３は、カメラに２２７によって画像を撮影する。
【００８７】
第１期間判定部（Ｂ）１５２１は、前述の通り近接状態を検出したか否かを判定する（Ｓ１８２３）。近接状態を検出していないと判定された場合には、第１期間判定部（Ｂ）１５２１は、ステータスに「継続」を設定する（Ｓ１８２５）。「継続」は、当該モードを続けることを意味する。
【００８８】
Ｓ１８２５においてステータスに「継続」を設定すると、前述と同様に、着信音出力部７１１は、報知用デコーダ５０１を停止させる（Ｓ１８１５）。報知用デコーダ５０１の停止により報知用スピーカ５０７からの着信音の出力が止む。読み上げ音出力部７１５は、受話用デコーダ４０１を停止させる（Ｓ１８１７）。受話用デコーダ４０１の停止により受話用スピーカ４０７からの読み上げ音の出力が止む。第１期間判定部（Ｂ）１５２１は、タイマ計測を終了する（Ｓ１８１９）。
【００８９】
一方、Ｓ１８２３において近接状態を検出したと判定された場合には、第１期間判定部（Ｂ）１５２１は、ステータスに「モード変更」を設定する（Ｓ１８２７）。「モード変更」は、当該モードを終え、他のモードに移ることを意味する。
【００９０】
Ｓ１８２７においてステータスに「モード変更」を設定すると、前述と同様に、着信音出力部７１１は、報知用デコーダ５０１を停止させる（Ｓ１８１５）。報知用デコーダ５０１の停止により報知用スピーカ５０７からの着信音の出力が止む。読み上げ音出力部７１５は、受話用デコーダ４０１を停止させる（Ｓ１８１７）。受話用デコーダ４０１の停止により受話用スピーカ４０７からの読み上げ音の出力が止む。第１期間判定部（Ｂ）１５２１は、タイマ計測を終了する（Ｓ１８１９）。そして、第１期間処理（Ｂ）を終える。
【００９１】
図１７に示した第１モード処理（Ａ）フローの説明に戻って、第１モード部（Ａ）１５１１は、ステータスが「終了」であるか否かを判定する（Ｓ１７０３）。ステータスが「終了」であると判定した場合には、第１モード処理（Ａ）を終了する。
【００９２】
一方、ステータスが「終了」でないと判定した場合には、第１モード部（Ａ）１５１１は、ステータスが「モード変更」であるか、あるいは「継続」であるかを判定する（Ｓ１７０５）。ステータスが「モード変更」であると判定した場合には、第１モード処理（Ａ）を終了する。
【００９３】
一方、ステータスが「継続」であると判定した場合には、第２期間判定部（Ｂ）１５２３の制御により、第２期間処理（Ｂ）が行われる（Ｓ１７０７）。
【００９４】
図１９に、第２期間処理（Ｂ）フローを示す。第２期間判定部（Ｂ）１５２３は、タイマ計測を開始する（Ｓ１９０１）。このタイマ計測は、期間Ｐ２の経過を判定するために行われる。
【００９５】
第２期間判定部（Ｂ）１５２３は、タイマによる計測値に従って、期間Ｐ２を過ぎたか否かを判定する（Ｓ１９０３）。期間Ｐ２を過ぎていないと判定した場合には、第２期間判定部（Ｂ）１５２３は、着呼が切断されたか否かを判定する（Ｓ１９０５）。具体的には、第２期間判定部（Ｂ）１５２３は、通信イベント検出部７０１において切断イベントを検出したか否かを判定する。着呼が切断されていないと判定した場合には、第２期間判定部（Ｂ）１５２３は、着呼に応答したか否かを判定する（Ｓ１９０７）。具体的には、第２期間判定部（Ｂ）１５２３は、通信イベント検出部７０１において応答イベントを検出したか否かを判定する。着呼に応答していないと判定した場合には、Ｓ１９０３の処理に戻る。
【００９６】
一方、Ｓ１９０５において着呼が切断されたと判定した場合には、第２期間判定部（Ｂ）１５２３は、ステータスに「終了」を設定する（Ｓ１９０９）。
【００９７】
また、Ｓ１９０７において着呼に応答したと判定した場合にも、第２期間判定部（Ｂ）１５２３は、ステータスに「終了」を設定する（Ｓ１９０９）。Ｓ１９０９においてステータスに「終了」を設定すると、第２期間判定部（Ｂ）１５２３は、タイマ計測を終了する（Ｓ１９１１）。
【００９８】
Ｓ１９０３において期間Ｐ２を過ぎていると判定した場合には、近接検出部１５０３は、前述と同様に近接検出処理によって、受話用スピーカ４０７の使用状態の検出を試みる（Ｓ１９１３）。
【００９９】
第２期間判定部（Ｂ）１５２３は、近接状態を検出したか否かを判定する（Ｓ１９１５）。近接状態を検出したと判定された場合には、第２期間判定部（Ｂ）１５２３は、ステータスに「継続」を設定する（Ｓ１９１７）。
【０１００】
Ｓ１９１７においてステータスに「継続」を設定すると、第２期間判定部（Ｂ）１５２３は、タイマ計測を終了する（Ｓ１９１１）。
【０１０１】
一方、Ｓ１９１５において近接状態を検出していないと判定された場合には、第２期間判定部（Ｂ）１５２３は、ステータスに「モード変更」を設定する（Ｓ１９１９）。
【０１０２】
Ｓ１９１９においてステータスに「モード変更」を設定すると、第２期間判定部（Ｂ）１５２３は、タイマ計測を終了する（Ｓ１９１１）。そして、第２期間処理（Ｂ）を終える。
【０１０３】
図１７に示した第１モード処理（Ａ）フローの説明に戻って、第１モード部（Ａ）１５１１は、ステータスは「終了」であるか否かを判定する（Ｓ１７０９）。ステータスが「終了」であると判定した場合には、第１モード処理（Ａ）を終了する。
【０１０４】
一方、ステータスが「終了」でないと判定した場合には、第１モード部（Ａ）１５１１は、ステータスが「モード変更」であるか、あるいは「継続」であるかを判定する（Ｓ１７１１）。ステータスが「継続」であると判定した場合には、Ｓ１７０１の処理に戻る。ステータスが「モード変更」であると判定した場合には、第１モード処理（Ａ）を終了する。第１モード処理（Ａ）を終えると、図１６のＳ１６０９に戻る。
【０１０５】
図１６に示した読み上げ通知処理（Ｂ）フローの説明に戻って、読み上げ通知部（Ｂ）１５０１は、ステータスが「終了」であるか、あるいは「モード変更」であるかを判定する（Ｓ１６０９）。ステータスが「終了」であると判定した場合には、読み上げ通知処理（Ｂ）の処理を終える。
【０１０６】
ステータスが「モード変更」であると判定した場合には、第２モード部（Ａ）１５１３の制御により、第２モード処理（Ａ）が行われる（Ｓ１６１１）。
【０１０７】
図２０に、第２モード処理（Ａ）フローを示す。第１期間判定部（Ｃ）１５２５の制御により、第１期間処理（Ｃ）が行われる（Ｓ２００１）。
【０１０８】
図２１に、第１期間処理（Ｃ）フローを示す。第１期間判定部（Ｃ）１５２５は、タイマ計測を開始する（Ｓ２１０１）。このタイマ計測は、期間Ｐ１の経過を判定するために行われる。
【０１０９】
読み上げ音出力部７１５は、一時的に保持している読み上げ音データを受話用デコーダ４０１に渡す（Ｓ２１０３）。読み上げ音データを受話用デコーダ４０１に渡すことによって、読み上げ音が受話用スピーカ４０７から出力される。期間Ｐ１の間、読み上げ音が繰り返し出力されるようにしてもよい。
【０１１０】
第１期間判定部（Ｃ）１５２５は、タイマによる計測値に従って、期間Ｐ１を過ぎたか否かを判定する（Ｓ２１０５）。期間Ｐ１を過ぎていないと判定した場合には、第１期間判定部（Ｃ）１５２５は、着呼が切断されたか否かを判定する（Ｓ２１０７）。具体的には、第１期間判定部（Ｃ）１５２５は、通信イベント検出部７０１において切断イベントを検出したか否かを判定する。着呼が切断されていないと判定した場合には、第１期間判定部（Ｃ）１５２５は、着呼に応答したか否かを判定する（Ｓ２１０９）。具体的には、第１期間判定部（Ｃ）１５２５は、通信イベント検出部７０１において応答イベントを検出したか否かを判定する。着呼に応答していないと判定した場合には、Ｓ２１０５の処理に戻る。
【０１１１】
一方、Ｓ２１０７において着呼が切断されたと判定した場合には、第１期間判定部（Ｃ）１５２５は、ステータスに「終了」を設定する（Ｓ２１１１）。
【０１１２】
また、Ｓ２１０９において着呼に応答したと判定した場合にも、第１期間判定部（Ｃ）１５２５は、ステータスに「終了」を設定する（Ｓ２１１１）。
【０１１３】
Ｓ２１１１においてステータスに「終了」を設定すると、読み上げ音出力部７１５は、受話用デコーダ４０１を停止させる（Ｓ２１１３）。受話用デコーダ４０１の停止により受話用スピーカ４０７からの読み上げ音の出力が止む。第１期間判定部（Ｃ）１５２５は、タイマ計測を終了する（Ｓ２１１５）。
【０１１４】
Ｓ２１０５において期間Ｐ１を過ぎていると判定した場合には、近接検出部１５０３は、前述と同様に近接検出処理によって、受話用スピーカ４０７の使用状態の検出を試みる（Ｓ２１１７）。
【０１１５】
第１期間判定部（Ｃ）１５２５は、近接状態を検出したか否かを判定する（Ｓ２１１９）。近接状態を検出していないと判定された場合には、第１期間判定部（Ｃ）１５２５は、ステータスに「継続」を設定する（Ｓ２１２１）。Ｓ２１２１においてステータスに「継続」を設定すると、前述と同様に、読み上げ音出力部７１５は、受話用デコーダ４０１を停止させる（Ｓ２１１３）。受話用デコーダ４０１の停止により受話用スピーカ４０７からの読み上げ音の出力が止む。第１期間判定部（Ｃ）１５２５は、タイマ計測を終了する（Ｓ２１１５）。
【０１１６】
一方、Ｓ２１１９において近接状態を検出したと判定された場合には、第１期間判定部（Ｃ）１５２５は、ステータスに「モード変更」を設定する（Ｓ２１２３）。
【０１１７】
Ｓ２１２３においてステータスに「モード変更」を設定すると、前述と同様に、読み上げ音出力部７１５は、受話用デコーダ４０１を停止させる（Ｓ２１１３）。受話用デコーダ４０１の停止により受話用スピーカ４０７からの読み上げ音の出力が止む。第１期間判定部（Ｃ）１５２５は、タイマ計測を終了する（Ｓ２１１５）。そして、第１期間処理（Ｃ）を終える。
【０１１８】
図２０に示した第２モード処理（Ａ）フローの説明に戻って、第２モード部（Ａ）１５１３は、ステータスが「終了」であるか否かを判定する（Ｓ２００３）。ステータスが「終了」であると判定した場合には、第２モード処理（Ａ）を終了する。
【０１１９】
一方、ステータスが「終了」でないと判定した場合には、第２モード部（Ａ）１５１３は、ステータスが「モード変更」であるか、あるいは「継続」であるかを判定する（Ｓ２００５）。ステータスが「モード変更」であると判定した場合には、第２モード処理（Ａ）を終了する。
【０１２０】
一方、ステータスが「継続」であると判定した場合には、第２期間判定部（Ｃ）１５２７の制御により、第２期間処理（Ｃ）が行われる（Ｓ２００７）。
【０１２１】
図２２に、第２期間処理（Ｃ）フローを示す。第２期間判定部（Ｃ）１５２７は、タイマ計測を開始する（Ｓ２２０１）。このタイマ計測は、期間Ｐ２の経過を判定するために行われる。
【０１２２】
着信音出力部７１１は、音データ格納部７１３から着信音データを取得し、取得した着信音データを報知用デコーダ５０１に渡す（Ｓ２２０３）。着信音データを報知用デコーダ５０１に渡すことによって、着信音が報知用スピーカ５０７から出力される。
【０１２３】
第２期間判定部（Ｃ）１５２７は、タイマによる計測値に従って、期間Ｐ２を過ぎたか否かを判定する（Ｓ２２０５）。期間Ｐ２を過ぎていないと判定した場合には、第２期間判定部（Ｃ）１５２７は、着呼が切断されたか否かを判定する（Ｓ２２０７）。具体的には、第２期間判定部（Ｃ）１５２７は、通信イベント検出部７０１において切断イベントを検出したか否かを判定する。着呼が切断されていないと判定した場合には、第２期間判定部（Ｃ）１５２７は、着呼に応答したか否かを判定する（Ｓ２２０９）。具体的には、第２期間判定部（Ｃ）１５２７は、通信イベント検出部７０１において応答イベントを検出したか否かを判定する。着呼に応答していないと判定した場合には、Ｓ２２０５の処理に戻る。
【０１２４】
一方、Ｓ２２０７において着呼が切断されたと判定した場合には、第２期間判定部（Ｃ）１５２７は、ステータスに「終了」を設定する（Ｓ２２１１）。
【０１２５】
また、Ｓ２２０９において着呼に応答したと判定した場合にも、第２期間判定部（Ｃ）１５２７は、ステータスに「終了」を設定する（Ｓ２２１１）。
【０１２６】
Ｓ２２１１においてステータスに「終了」を設定すると、着信音出力部７１１は、報知用デコーダ５０１を停止させる（Ｓ２２１３）。報知用デコーダ５０１の停止により報知用スピーカ５０７からの着信音の出力が止む。第２期間判定部（Ｃ）１５２７は、タイマ計測を終了する（Ｓ２２１５）。
【０１２７】
Ｓ２２０５において期間Ｐ２を過ぎていると判定した場合には、近接検出部１５０３は、前述と同様に近接検出処理によって、受話用スピーカ４０７の使用状態の検出を試みる（Ｓ２２１７）。
【０１２８】
第２期間判定部（Ｃ）１５２７は、近接状態を検出したか否かを判定する（Ｓ２２１９）。近接状態を検出したと判定された場合には、第２期間判定部（Ｃ）１５２７は、ステータスに「継続」を設定する（Ｓ２２２１）。
【０１２９】
Ｓ２２２１においてステータスに「継続」を設定すると、着信音出力部７１１は、報知用デコーダ５０１を停止させる（Ｓ２２１３）。報知用デコーダ５０１の停止により報知用スピーカ５０７からの着信音の出力が止む。第２期間判定部（Ｃ）１５２７は、タイマ計測を終了する（Ｓ２２１５）。
【０１３０】
一方、Ｓ２２１９において近接状態を検出していないと判定された場合には、第２期間判定部（Ｃ）１５２７は、ステータスに「モード変更」を設定する（Ｓ２２２３）。
【０１３１】
Ｓ２２２３においてステータスに「モード変更」を設定すると、着信音出力部７１１は、報知用デコーダ５０１を停止させる（Ｓ２２１３）。報知用デコーダ５０１の停止により報知用スピーカ５０７からの着信音の出力が止む。第２期間判定部（Ｃ）１５２７は、タイマ計測を終了する（Ｓ２２１５）。そして、第２期間処理（Ｃ）を終える。
【０１３２】
図２０に示した第２モード処理（Ａ）フローの説明に戻って、第２モード部（Ａ）１５１３は、ステータスは「終了」であるか否かを判定する（Ｓ２００９）。ステータスが「終了」であると判定した場合には、第２モード処理（Ａ）を終了する。
【０１３３】
一方、ステータスが「終了」でないと判定した場合には、第２モード部（Ａ）１５１３は、ステータスが「モード変更」であるか、あるいは「継続」であるかを判定する（Ｓ２０１１）。ステータスが「モード変更」であると判定した場合には、第２モード処理（Ａ）を終了する。
【０１３４】
一方、ステータスが「継続」であると判定した場合には、Ｓ２００１の処理に戻る。第２モード処理（Ａ）を終えると、図１６のＳ１６１３に戻る。
【０１３５】
図１６に示した読み上げ通知処理（Ｂ）フローの説明に戻って、読み上げ通知部（Ｂ）１５０１は、ステータスが「終了」であるか、あるいは「モード変更」であるかを判定する（Ｓ１６１３）。ステータスが「モード変更」であると判定した場合には、Ｓ１６０７の処理に戻る。ステータスが「終了」であると判定した場合には、読み上げ通知処理（Ｂ）を終える。
【０１３６】
読み上げ通知処理（Ｂ）を終えると、図９に示した全体処理フローに戻って、全体処理を終える。
【０１３７】
本実施の形態によれば、発呼者名の読み上げ音を出力する受話用スピーカ４０７が使用されている状態で着信音の出力を休止するので、使用者は発呼者名の読み上げ音を聞き取りやすくなる。
【０１３８】
［実施の形態３］
上述の実施の形態では、間欠的に着信音を出力する例を示したが、本実施の形態では、連続的に着信音を出力する例を示す。
【０１３９】
図２３に、実施の形態３に係る着信音と読み上げ音との出力タイミングの概要を示す。下段のチャートは、着呼から応答までの間における読み上げ音の出力タイミングを示している。読み上げ音は、実施の形態１及び２と同様に、発呼者の名前を読み上げる音声である。この例で、読み上げ音は、実施の形態１及び２と同様に、受話用スピーカ４０７から出力される。
【０１４０】
上段のチャートは、着呼から応答までの間における着信音の出力タイミングを示している。着信音は、実施の形態１及び２と同様に、例えばベル音や着信メロディーなどの呼び出し音である。この例で、着信音は、実施の形態１及び２と同様に、周囲に聞かせるための報知用スピーカ５０７から出力される。
【０１４１】
実施の形態１及び２と同様に、着呼時を起点として、期間Ｐ１と期間Ｐ２とが交互に繰り返される。つまり、１周期は期間Ｐ１と期間Ｐ２とを含んでいる。
【０１４２】
読み上げ音は、期間Ｐ１において出力される。期間Ｐ２において、読み上げ音は出力されない。着信音は、期間Ｐ１及び期間Ｐ２を通して出力される。このように報知用スピーカ５０７から出力される着信音を受話用スピーカ４０７から出力される読み上げ音に重ねることにより、読み上げる発呼者の名前を周囲の者に認知され難くする。
【０１４３】
続いて、実施の形態３に係る携帯電話端末２００のモジュールについて説明する。図２４に、実施の形態３に係る携帯電話端末２００のモジュール構成例を示す。実施の形態３に係る携帯電話端末２００は、図７に示した実施の形態１に係る携帯電話端末２００と同様に、通信イベント検出部７０１、通知方式判定部７０３、設定データ格納部７０５、通常通知部７０７、着信音出力部７１１、音データ格納部７１３、読み上げ音出力部７１５及び電話帳ＤＢ７１７を有する。
【０１４４】
また、実施の形態３に係る携帯電話端末２００は、実施の形態１に係る携帯電話端末２００における読み上げ通知部（Ａ）７０９に代えて、読み上げ通知部（Ｃ）２４０１を有する。読み上げ通知部（Ｃ）２４０１は、第１期間判定部（Ｄ）２４２１及び第２期間判定部（Ａ）２４２３を有する。第１期間判定部（Ｄ）２４２１は、期間Ｐ１における判定を行う。第２期間判定部（Ａ）２４２３は、期間Ｐ２における判定を行う。以上で、実施の形態３に係る携帯電話端末２００のモジュールについての説明を終える。
【０１４５】
続いて、実施の形態３における処理について説明する。図９に示した全体処理フローのうち、Ｓ９０１乃至Ｓ９０７については、実施の形態１及び２の場合と同様に処理する。Ｓ９０９では、読み上げ通知処理（Ａ）及び（Ｂ）に代えて読み上げ通知処理（Ｃ）が行われる。
【０１４６】
図２５に、読み上げ通知処理（Ｃ）フローを示す。読み上げ音出力部７１５は、電話帳ＤＢ７１７において発呼者名に相当する名前に対応する読み上げテキストを特定する（Ｓ２５０１）。読み上げ音出力部７１５は、読み上げテキストに基づいて、読み上げ音データを生成する（Ｓ２５０３）。生成された読み上げ音データは、全体処理の終了まで一時的に保持される。
【０１４７】
着信音出力部７１１は、着信音データを特定する（Ｓ２５０５）。着信音出力部７１１は、例えば、設定データ格納部７０５に格納されている設定データから着信音データの種類を読み取る。
【０１４８】
着信音出力部７１１は、音データ格納部７１３から着信音データを取得し、取得した着信音データを報知用デコーダ５０１に渡す（Ｓ２５０７）。着信音データを報知用デコーダ５０１に渡すことによって、着信音が報知用スピーカ５０７から出力される。
【０１４９】
第１期間判定部（Ｄ）２４２１の制御により、第１期間処理（Ｄ）が行われる（Ｓ２５０９）。図２６に、第１期間処理（Ｄ）フローを示す。第１期間判定部（Ｄ）２４２１は、タイマ計測を開始する（Ｓ２６０１）。このタイマ計測は、期間Ｐ１の経過を判定するために行われる。
【０１５０】
読み上げ音出力部７１５は、一時的に保持している読み上げ音データを受話用デコーダ４０１に渡す（Ｓ２６０３）。読み上げ音データを受話用デコーダ４０１に渡すことによって、読み上げ音が受話用スピーカ４０７から出力される。期間Ｐ１の間、読み上げ音が繰り返し出力されるようにしてもよい。
【０１５１】
第１期間判定部（Ｄ）２４２１は、タイマによる計測値に従って、期間Ｐ１を過ぎたか否かを判定する（Ｓ２６０５）。期間Ｐ１を過ぎていないと判定した場合には、第１期間判定部（Ｄ）２４２１は、着呼が切断されたか否かを判定する（Ｓ２６０７）。具体的には、第１期間判定部（Ｄ）２４２１は、通信イベント検出部７０１において切断イベントを検出したか否かを判定する。着呼が切断されていないと判定した場合には、第１期間判定部（Ｄ）２４２１は、着呼に応答したか否かを判定する（Ｓ２６０９）。具体的には、第１期間判定部（Ｄ）２４２１は、通信イベント検出部７０１において応答イベントを検出したか否かを判定する。着呼に応答していないと判定した場合には、Ｓ２６０５の処理に戻る。
【０１５２】
一方、Ｓ２６０７において着呼が切断されたと判定した場合には、第１期間判定部（Ｄ）２４２１は、ステータスに「終了」を設定する（Ｓ２６１１）。「終了」は、読み上げ通知処理（Ｃ）を終えることを意味する。
【０１５３】
また、Ｓ２６０９において着呼に応答したと判定した場合にも、第１期間判定部（Ｄ）２４２１は、ステータスに「終了」を設定する（Ｓ２６１１）。
【０１５４】
Ｓ２６１１においてステータスに「終了」を設定すると、読み上げ音出力部７１５は、受話用デコーダ４０１を停止させる（Ｓ２６１３）。受話用デコーダ４０１の停止により受話用スピーカ４０７からの読み上げ音の出力が止む。そして、第１期間判定部（Ｄ）２４２１は、タイマ計測を終了する（Ｓ２６１５）。
【０１５５】
Ｓ２６０５において期間Ｐ１を過ぎていると判定した場合には、第１期間判定部（Ｄ）２４２１は、ステータスに「継続」を設定する（Ｓ２６１７）。ステータスに「継続」を設定した場合にも、読み上げ音出力部７１５は、受話用デコーダ４０１を停止させる（Ｓ２６１３）。前述と同様に、受話用スピーカ４０７からの読み上げ音の出力が止む。第１期間判定部（Ｄ）２４２１は、タイマ計測を終了する（Ｓ２６１５）。そして、第１期間処理（Ｄ）を終える。
【０１５６】
図２５に示した読み上げ通知処理（Ｃ）フローの説明に戻って、読み上げ通知部（Ｃ）２４０１は、ステータスが「終了」であるか、あるいは「継続」であるかを判定する（Ｓ２５１１）。ステータスが「継続」であると判定した場合には、第２期間判定部（Ａ）２４２３の制御により、第２期間処理（Ａ）が行われる（Ｓ２５１３）。第２期間処理（Ａ）は、図１３を用いて前述した通りである。
【０１５７】
読み上げ通知部（Ｃ）２４０１は、ステータスが「終了」であるかあるいは「継続」であるかを判定する（Ｓ２５１５）。ステータスが「継続」であると判定した場合には、Ｓ２５０９の処理に戻る。
【０１５８】
Ｓ２５１５においてステータスが「終了」であると判定した場合には、着信音出力部７１１は、報知用デコーダ５０１を停止させる（Ｓ２５１７）。これにより、着信音が止む。そして、読み上げ通知処理（Ｃ）を終える。
【０１５９】
また、Ｓ２５１１においてステータスが「終了」であると判定した場合にも、着信音出力部７１１は、報知用デコーダ５０１を停止させる（Ｓ２５１７）。前述と同様に、着信音が止む。そして、読み上げ通知処理（Ｃ）を終える。
【０１６０】
図９に示した全体処理フローに戻って、全体処理を終える。
【０１６１】
本実施の形態によれば、報知用スピーカ５０７から出力される着信音によって、受話用スピーカ４０７から出力される発呼者名の読み上げ音を打ち消すので、周囲の者に読み上げられる発呼者名を認知され難くできる。これにより、使用者のプライバシィが保護される。
【０１６２】
［実施の形態４］
上述の実施の形態では、実施の形態３を基礎として、受話用スピーカ４０７の使用状態を検出した場合に、読み上げ音を出力している間における着信音の出力を休止させる例について説明する。
【０１６３】
図２７に、実施の形態４に係る着信音と読み上げ音との出力タイミングの概要を示す。下段のチャートは、着呼から応答までの間における読み上げ音の出力タイミングを示している。読み上げ音は、実施の形態１乃至３と同様に、発呼者の名前を読み上げる音声である。この例で、読み上げ音は、実施の形態１乃至３と同様に、受話用スピーカ４０７から出力される。
【０１６４】
上段のチャートは、着呼から応答までの間における着信音の出力タイミングを示している。着信音は、実施の形態１乃至３と同様に、例えばベル音や着信メロディーなどの呼び出し音である。この例で、着信音は、実施の形態１乃至３と同様に、周囲に聞かせるための報知用スピーカ５０７から出力される。
【０１６５】
着呼時を起点として、期間Ｐ１と期間Ｐ２とが交互に繰り返される。つまり、１周期は期間Ｐ１と期間Ｐ２とを含んでいる。但し、実施の形態２と同様に時刻Ｔ５において近接状態を検出している。近接状態は、実施の形態２と同様に受話用スピーカ４０７が使用されている状態である。
【０１６６】
実施の形態２と同様に、着呼から近接状態検出までの状態を、第１モードという。近接状態検出から応答までの状態を、第２モードという。
【０１６７】
第１モードにおいて、読み上げ音は、期間Ｐ１において出力される。期間Ｐ２において、読み上げ音は出力されない。着信音は、期間Ｐ１及び期間Ｐ２を通して出力される。このように報知用スピーカ５０７から出力される着信音を受話用スピーカ４０７から出力される読み上げ音に重ねることにより、読み上げる発信者の名前を周囲の者に認知され難くする。
【０１６８】
第２モードにおいて、読み上げ音を出力している間は、着信音の出力レベルを０とする（図中の斜線部分）。このとき、報知用デコーダ５０１における処理は継続しているが、報知用アンプ５０５からの出力が停止している状態となっている。読み上げ音は、第１のモードと同様に、期間Ｐ１において出力される。期間Ｐ２において、読み上げ音は出力されない。一方、着信音は、期間Ｐ２において出力される。期間Ｐ１において、着信音は出力されない。つまり、読み上げ音を出力している期間Ｐ１において、着信音の出力は休止される。このようにすることにより、使用者は受話用スピーカ４０７から出力される読み上げ音を聞き取りやすくなる。
【０１６９】
続いて、実施の形態４に係る携帯電話端末２００のモジュールについて説明する。図２８に、実施の形態４に係る携帯電話端末２００のモジュール構成例を示す。実施の形態４に係る携帯電話端末２００は、図１５に示した実施の形態２に係る携帯電話端末２００と同様に、通信イベント検出部７０１、通知方式判定部７０３、設定データ格納部７０５、通常通知部７０７、着信音出力部７１１、音データ格納部７１３、読み上げ音出力部７１５、電話帳ＤＢ７１７及び近接検出部１５０３を有する。
【０１７０】
また、実施の形態４に係る携帯電話端末２００は、実施の形態２に係る携帯電話端末２００における読み上げ通知部（Ｂ）１５０１に代えて、読み上げ通知部（Ｄ）２８０１を有する。読み上げ通知部（Ｄ）２８０１は、実施の形態４における読み上げ音による通知を制御する。読み上げ通知部（Ｄ）２８０１は、第１モード部（Ｂ）２８１１及び第２モード部（Ｂ）２８１３を有する。
【０１７１】
第１モード部（Ｂ）２８１１は、第１モードにおける読み上げ音による通知を制御する。第１モード部（Ｂ）２８１１は、第１期間判定部（Ｃ）１５２５及び第２期間判定部（Ｂ）１５２３を有する。第１期間判定部（Ｃ）１５２５は、第１モードの期間Ｐ１における判定を行う。第１期間判定部（Ｃ）１５２５は、実施の形態２に示した第１期間判定部（Ｃ）１５２５と同様の処理を行う。第２期間判定部（Ｂ）１５２３は、第１モードの期間Ｐ２における判定を行う。第２期間判定部（Ｂ）１５２３は、実施の形態２に示した第２期間判定部（Ｂ）１５２３と同様の処理を行う。
【０１７２】
第２モード部（Ｂ）２８１３は、第２モードにおける読み上げ音による通知を制御する。第２モード部（Ｂ）２８１３は、第１期間判定部（Ｅ）２８２１及び第２期間判定部（Ｂ）１５２３を有する。第１期間判定部（Ｅ）２８２１は、第２モードの期間Ｐ１における判定を行う。第２期間判定部（Ｂ）１５２３は、第２モードの期間Ｐ２における判定を行う。第２期間判定部（Ｂ）１５２３は、第１モード部（Ｂ）２８１１に含まれる第２期間判定部（Ｂ）１５２３と同様の処理を行う。実施の形態４に係る携帯電話端末２００のモジュールについての説明を終える。
【０１７３】
続いて、実施の形態４における処理について説明する。図９に示した全体処理フローのうち、Ｓ９０１乃至Ｓ９０７については、実施の形態１の場合と同様に処理する。Ｓ９０９では、読み上げ通知処理（Ａ）乃至（Ｃ）に代えて読み上げ通知処理（Ｄ）が行われる。
【０１７４】
図２９に、読み上げ通知処理（Ｄ）フローを示す。読み上げ音出力部７１５は、電話帳ＤＢ７１７において発呼者名に相当する名前に対応する読み上げテキストを特定する（Ｓ２９０１）。読み上げ音出力部７１５は、読み上げテキストに基づいて、読み上げ音データを生成する（Ｓ２９０３）。生成された読み上げ音データは、全体処理の終了まで一時的に保持される。
【０１７５】
着信音出力部７１１は、着信音データを特定する（Ｓ２９０５）。着信音出力部７１１は、例えば、設定データ格納部７０５に格納されている設定データから着信音データの種類を読み取る。
【０１７６】
着信音出力部７１１は、着信音データを報知用デコーダ５０１に渡す（Ｓ２９０７）。着信音データを報知用デコーダ５０１に渡すことによって、着信音が報知用スピーカ５０７から出力される。
【０１７７】
第１モード部（Ｂ）２８１１の制御により、第１モード処理（Ｂ）が行われる（Ｓ２９０９）。図３０に、第１モード処理（Ｂ）フローを示す。第１期間判定部（Ｃ）１５２５の制御により、第１期間処理（Ｃ）が行われる（Ｓ３００１）。
【０１７８】
第１期間処理（Ｃ）は、実施の形態２において図２１を用いて説明した通りである。
【０１７９】
第１モード部（Ｂ）２８１１は、ステータスが「終了」であるか否かを判定する（Ｓ３００３）。「終了」は、読み上げ通知処理（Ｄ）を終えることを意味する。従って、ステータスが「終了」であると判定した場合には、第１モード処理（Ｂ）を終了する。
【０１８０】
一方、ステータスが「終了」でないと判定した場合には、第１モード部（Ｂ）２８１１は、ステータスが「モード変更」であるか、あるいは「継続」であるかを判定する（Ｓ３００５）。ステータスが「モード変更」であると判定した場合には、第１モード処理（Ｂ）を終了する。一方、ステータスが「継続」であると判定した場合には、第２期間判定部（Ｂ）１５２３の制御により、第２期間処理（Ｂ）が行われる（Ｓ３００７）。第２期間処理（Ｂ）は、実施の形態２において図１９を用いて説明した通りである。
【０１８１】
第１モード部（Ｂ）２８１１は、ステータスは「終了」であるか否かを判定する（Ｓ３００９）。ステータスが「終了」であると判定した場合には、第１モード処理（Ｂ）を終了する。
【０１８２】
一方、ステータスが「終了」でないと判定した場合には、第１モード部（Ｂ）２８１１は、ステータスが「モード変更」であるか、あるいは「継続」であるかを判定する（Ｓ３０１１）。ステータスが「モード変更」であると判定した場合には、第１モード処理（Ｂ）を終了する。
【０１８３】
一方、ステータスが「継続」であると判定した場合には、Ｓ３００１の処理に戻る。第１モード処理（Ｂ）を終えると、図２９のＳ２９１１に戻る。
【０１８４】
図２９に示した読み上げ通知処理（Ｄ）フローの説明に戻って、読み上げ通知部（Ｄ）２８０１は、ステータスが「終了」であるか、あるいは「モード変更」であるかを判定する（Ｓ２９１１）。ステータスが「終了」であると判定した場合には、着信音出力部７１１は報知用デコーダ５０１を停止させて（Ｓ２９１７）、読み上げ通知処理（Ｄ）の処理を終える。
【０１８５】
ステータスが「モード変更」であると判定した場合には、第２モード部（Ｂ）２８１３の制御により、第２モード処理（Ｂ）が行われる（Ｓ２９１３）。
【０１８６】
図３１に、第２モード処理（Ｂ）フローを示す。第１期間判定部（Ｅ）２８２１の制御により、第１期間処理（Ｅ）が行われる（Ｓ３１０１）。
【０１８７】
図３２に、第１期間処理（Ｅ）フローを示す。第１期間判定部（Ｅ）２８２１は、タイマ計測を開始する（Ｓ３２０１）。着信音出力部７１１は、報知用アンプ５０５の出力を停止させる（Ｓ３２０３）。従って、着信音は一旦止む。読み上げ音出力部７１５は、一時的に保持している読み上げ音データを受話用デコーダ４０１に渡す（Ｓ３２０５）。読み上げ音データを受話用デコーダ４０１に渡すことによって、読み上げ音が受話用スピーカ４０７から出力される。期間Ｐ１の間、読み上げ音が繰り返し出力されるようにしてもよい。
【０１８８】
第１期間判定部（Ｅ）２８２１は、タイマによる計測値に従って、期間Ｐ１を過ぎたか否かを判定する（Ｓ３２０７）。期間Ｐ１を過ぎていないと判定した場合には、第１期間判定部（Ｅ）２８２１は、着呼が切断されたか否かを判定する（Ｓ３２０９）。具体的には、第１期間判定部（Ｅ）２８２１は、通信イベント検出部７０１において切断イベントを検出したか否かを判定する。着呼が切断されていないと判定した場合には、第１期間判定部（Ｅ）２８２１は、着呼に応答したか否かを判定する（Ｓ３２１１）。具体的には、第１期間判定部（Ｅ）２８２１は、通信イベント検出部７０１において応答イベントを検出したか否かを判定する。着呼に応答していないと判定した場合には、Ｓ３２０７の処理に戻る。
【０１８９】
一方、Ｓ３２０９において着呼が切断されたと判定した場合には、第１期間判定部（Ｅ）２８２１は、ステータスに「終了」を設定する（Ｓ３２１３）。
【０１９０】
また、Ｓ３２１１において着呼に応答したと判定した場合にも、第１期間判定部（Ｅ）２８２１は、ステータスに「終了」を設定する（Ｓ３２１３）。
【０１９１】
Ｓ３２１３においてステータスに「終了」を設定すると、読み上げ音出力部７１５は、受話用デコーダ４０１を停止させる（Ｓ３２１５）。受話用デコーダ４０１の停止により受話用スピーカ４０７からの読み上げ音の出力が止む。
【０１９２】
着信音出力部７１１は、報知用アンプ５０５の出力を再開させる（Ｓ３２１７）。これにより、着信音が再び鳴り出す。第１期間判定部（Ｅ）２８２１は、タイマ計測を終了する（Ｓ３２１９）。
【０１９３】
Ｓ３２０７において期間Ｐ１を過ぎていると判定した場合には、近接検出部１５０３は、前述と同様に近接検出処理によって、受話用スピーカ４０７の使用状態の検出を試みる（Ｓ３２２０）。
【０１９４】
第１期間判定部（Ｅ）２８２１は、近接状態を検出したか否かを判定する（Ｓ３２２１）。近接状態を検出したと判定された場合には、第１期間判定部（Ｅ）２８２１は、ステータスに「継続」を設定する（Ｓ３２２３）。Ｓ３２２３においてステータスに「継続」を設定すると、前述と同様に、読み上げ音出力部７１５は、受話用デコーダ４０１を停止させ（Ｓ３２１５）、着信音出力部７１１は、報知用アンプ５０５の出力を再開させる（Ｓ３２１７）。読み上げ音の出力が止み、着信音が再び鳴り出す。第１期間判定部（Ｅ）２８２１は、タイマ計測を終了する（Ｓ３２１９）。
【０１９５】
一方、Ｓ３２２１において近接状態を検出していないと判定された場合には、第１期間判定部（Ｅ）２８２１は、ステータスに「モード変更」を設定する（Ｓ３２２５）。Ｓ３２２１において近接状態を検出していないと判定された場合は、使用者が受話用スピーカ４０７から離れたと想定される。従って、再び第１モードに戻るように制御する。
【０１９６】
Ｓ３２２５においてステータスに「モード変更」を設定すると、前述と同様に、読み上げ音出力部７１５は、受話用デコーダ４０１を停止させ（Ｓ３２１５）、着信音出力部７１１は、報知用アンプ５０５の出力を再開させる（Ｓ３２１７）。読み上げ音の出力が止み、着信音が再び鳴り出す。第１期間判定部（Ｅ）２８２１は、タイマ計測を終了する（Ｓ３２１９）。
【０１９７】
図３１に示した第２モード処理（Ｂ）フローの説明に戻って、第２モード部（Ｂ）２８１３は、ステータスが「終了」であるか否かを判定する（Ｓ３１０３）。ステータスが「終了」であると判定した場合には、第２モード処理（Ｂ）を終了する。
【０１９８】
一方、ステータスが「終了」でないと判定した場合には、第２モード部（Ｂ）２８１３は、ステータスが「モード変更」であるか、あるいは「継続」であるかを判定する（Ｓ３１０５）。ステータスが「モード変更」であると判定した場合には、第２モード処理（Ｂ）を終了する。
【０１９９】
一方、ステータスが「継続」であると判定した場合には、第２期間判定部（Ｂ）１５２３の制御により、第２期間処理（Ｂ）が行われる（Ｓ３１０７）。第２期間処理（Ｂ）は、実施の形態２において図１９を用いて説明した通りである。
【０２００】
第２期間処理（Ｂ）を終えると、第２モード部（Ｂ）２８１３は、ステータスは「終了」であるか否かを判定する（Ｓ３１０９）。ステータスが「終了」であると判定した場合には、第２モード処理（Ｂ）を終了する。
【０２０１】
一方、ステータスが「終了」でないと判定した場合には、第２モード部（Ｂ）２８１３は、ステータスが「モード変更」であるか、あるいは「継続」であるかを判定する（Ｓ３１１１）。ステータスが「継続」であると判定した場合には、Ｓ３１０１の処理に戻る。
【０２０２】
一方、ステータスが「モード変更」であると判定した場合には、第２モード処理（Ｂ）を終了する。第２モード処理（Ｂ）を終えると、図２９のＳ２９１５に戻る。
【０２０３】
図２９に示した読み上げ通知処理（Ｄ）フローの説明に戻って、読み上げ通知部（Ｄ）２８０１は、ステータスが「終了」であるか、あるいは「モード変更」であるかを判定する（Ｓ２９１５）。
【０２０４】
ステータスが「モード変更」であると判定した場合には、Ｓ２９０９の処理に戻る。
【０２０５】
ステータスが「終了」であると判定した場合には、着信音出力部７１１は、報知用デコーダ５０１を停止させる（Ｓ２９１７）。従って、着信音が止む。そして、読み上げ通知処理（Ｄ）を終える。
【０２０６】
そして、図９に示した全体処理フローに戻って、全体処理を終える。
【０２０７】
本実施の形態によれば、発呼者名の読み上げ音を出力する受話用スピーカ４０７が使用されている状態で着信音の出力を休止するので、使用者は発呼者名の読み上げ音を聞き取りやすくなる。
【０２０８】
上述の実施の形態では、電話通信における着信通知の例を示したが、メール通信における着信通知において同様に制御してもよい。メール通信の場合には、着呼に代えてメールの着信に応じて、着信音及び読み上げ音を出力するようにしてもよい。また、電話帳ＤＢ７１７における通信相手のレコードに、メールアドレスのフィールドを設けるようにしてもよい。発信者名は、送信者のメールアドレスに基づいて特定されるようにしてもよい。
【０２０９】
上述の実施の形態では、電話帳ＤＢ７１７において通信相手毎に読み上げテキストを保持する例を示したが、電話帳ＤＢ７１７において通信相手毎に読み上げ音データを保持するようにしてもよい。また、読み上げ音出力部７１５は、電話帳ＤＢ７１７で保持されている読み上げ音データを受話用デコーダ４０１に渡すようにしてもよい。
【０２１０】
以上本技術の一実施の形態を説明したが、本技術はこれに限定されるものではない。例えば、上述の機能ブロック構成は実際のプログラムモジュール構成に一致しない場合もある。
【０２１１】
また、上で説明した各記憶領域の構成は一例であって、上記のような構成でなければならないわけではない。さらに、処理フローにおいても、処理結果が変わらなければ処理の順番を入れ替えることも可能である。さらに、並列に実行させるようにしても良い。
【０２１２】
以上述べた実施の形態をまとめると、以下のようになる。
【０２１３】
一態様の通信端末は、着信に応じて、第１のスピーカから、発信者名の読み上げ音を出力する第１の出力部と、読み上げ音を出力している間に、第２のスピーカから、着信音を出力する第２の出力部とを有する。
【０２１４】
このようにすれば、着信音によって発信者名の読み上げ音を打ち消すので、周囲の者に読み上げられる発信者名を認知され難くできる。これにより、使用者のプライバシィが保護される。
【０２１５】
上記通信端末は、更に、第１のスピーカの使用状態を検出するための検出部を有するようにしてもよい。また、使用状態を検出した場合に、第２の出力部は、読み上げ音を出力している間における着信音の出力を休止するようにしてもよい。
【０２１６】
このようにすれば、発信者名の読み上げ音を出力する第１のスピーカが使用されている状態で着信音の出力を休止するので、使用者は発信者名の読み上げ音を聞き取りやすくなる。
【０２１７】
なお、上記通信端末による処理をプロセッサに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管されるようにしてもよい。
【０２１８】
以上の実施例を含む実施形態に関し、さらに以下の付記を開示する。
【０２１９】
（付記１）
着信に応じて、第１のスピーカから、発信者名の読み上げ音を出力する第１の出力部と、
前記読み上げ音を出力している間に、第２のスピーカから、着信音を出力する第２の出力部と、
を有する通信端末。
【０２２０】
（付記２）
更に、
前記第１のスピーカの使用状態を検出するための検出部を有し、
前記使用状態を検出した場合に、前記第２の出力部は、前記読み上げ音を出力している間における前記着信音の出力を休止する
付記１記載の通信端末。
【０２２１】
（付記３）
通信端末により実行される音出力方法であって、
着信に応じて、第１のスピーカから、発信者名の読み上げ音を出力する処理と、
前記読み上げ音を出力している間に、第２のスピーカから、着信音を出力する処理と
を含む音出力方法。
【０２２２】
（付記４）
着信に応じて、第１のスピーカから、発信者名の読み上げ音を出力する処理と、
前記読み上げ音を出力している間に、第２のスピーカから、着信音を出力する処理と
を通信端末に実行させるためのプログラム。
【符号の説明】
【０２２３】
２００  携帯電話端末    ２０１  プロセッサ
２０３  記憶部    ２０５  ＲＯＭ
２０７  ＲＡＭ    ２０９  フラッシュメモリ
２１１  入力装置    ２１３  表示装置
２１５  アンテナ    ２１７  無線制御部
２１９  送話信号処理部    ２２１  受話信号処理部
２２３  報知信号処理部    ２２５  センサ群
２２７  カメラ    ３０１  エンコーダ
３０３  Ａ／Ｄ変換部    ３０５  送話用アンプ
３０７  送話用マイク    ４０１  受話用デコーダ
４０３  受話用Ｄ／Ａ変換部    ４０５  受話用アンプ
４０７  受話用スピーカ    ５０１  報知用デコーダ
５０３  報知用Ｄ／Ａ変換部    ５０５  報知用アンプ
５０７  報知用スピーカ    ６０１  近接センサ
６０３  輝度センサ    ６０５  地磁気センサ
７０１  通信イベント検出部    ７０３  通知方式判定部
７０５  設定データ格納部    ７０７  通常通知部
７０９  読み上げ通知部（Ａ）    ７１１  着信音出力部
７１３  音データ格納部    ７１５  読み上げ音出力部
７１７  電話帳ＤＢ    ７２１  第１期間判定部（Ａ）
７２３  第２期間判定部（Ａ）    １５０１  読み上げ通知部（Ｂ）
１５０３  近接検出部    １５１１  第１モード部（Ａ）
１５１３  第２モード部（Ａ）    １５２１  第１期間判定部（Ｂ）
１５２３  第２期間判定部（Ｂ）    １５２５  第１期間判定部（Ｃ）
１５２７  第２期間判定部（Ｃ）    ２４０１  読み上げ通知部（Ｃ）
２４２１  第１期間判定部（Ｄ）    ２４２３  第２期間判定部（Ａ）
２８０１  読み上げ通知部（Ｄ）    ２８１１  第１モード部（Ｂ）
２８１３  第２モード部（Ｂ）    ２８２１  第１期間判定部（Ｅ）
【図１】
2014192716.tif 000003
【図２】
2014192716.tif 000004
【図３】
2014192716.tif 000005
【図４】
2014192716.tif 000006
【図５】
2014192716.tif 000007
【図６】
2014192716.tif 000008
【図７】
2014192716.tif 000009
【図８】
2014192716.tif 000010
【図９】
2014192716.tif 000011
【図１０】
2014192716.tif 000012
【図１１】
2014192716.tif 000013
【図１２】
2014192716.tif 000014
【図１３】
2014192716.tif 000015
【図１４】
2014192716.tif 000016
【図１５】
2014192716.tif 000017
【図１６】
2014192716.tif 000018
【図１７】
2014192716.tif 000019
【図１８】
2014192716.tif 000020
【図１９】
2014192716.tif 000021
【図２０】
2014192716.tif 000022
【図２１】
2014192716.tif 000023
【図２２】
2014192716.tif 000024
【図２３】
2014192716.tif 000025
【図２４】
2014192716.tif 000026
【図２５】
2014192716.tif 000027
【図２６】
2014192716.tif 000028
【図２７】
2014192716.tif 000029
【図２８】
2014192716.tif 000030
【図２９】
2014192716.tif 000031
【図３０】
2014192716.tif 000032
【図３１】
2014192716.tif 000033
【図３２】
2014192716.tif 000034